(57)【特許請求の範囲】
【請求項１】
選択したチャンネルを選局して番組を受信する受信部と、
各チャンネルの各番組を示す番組表を表示する表示部と、
該表示部が表示する前記番組表において、前記受信部の受信状況に対応した識別表示を行うように制御する制御部と、を備え、
前記制御部は、前記受信部の受信状況に基づき、視聴できない番組には前記番組表において該番組の選択を無効化するように制御することを特徴とする番組表表示装置。
【請求項２】
複数の放送システムの放送を受信可能な受信部と、番組を録画予約する予約部と、を備えた番組表表示装置であって、
番組録画予約後に電源がＯＮとなった場合、既に予約された番組予約が第１放送システムの放送であるか、第２放送システムの放送であるかを確認し、当該録画予約番組の画質レベルをチェックし、視聴できない可能性があるまたは視聴できるが画質が劣化する可能性がある場合には警告を表示するように制御する制御部と、
を備えることを特徴とする番組表表示装置。
【発明の詳細な説明】
【技術分野】
【０００１】
本発明は、放送の受信状況に対応した識別表示を行うようにした番組表表示装置に関するものである。
【背景技術】
【０００２】
近年、モバイル端末において、ＩＳＤＢ−Ｔ（地上波デジタル放送）のモバイル向け放送（例えば、１ｓｅｇ（ワンセグ）デジタルテレビ）や、モバイル用放送規格であるＭｅｄｉａＦＬＯ（Ｆｏｒｗａｒｄ  Ｌｉｎｋ  Ｏｎｌｙ．米国Ｑｕａｌｃｏｍｍ社提唱）や、ＤＶＢ−Ｈ（欧州電気通信標準協会（ＥＴＳＩ））などの様々な放送規格が存在する。このような放送規格の多様化により、モバイル分野においても放送の多チャンネル化が進行することが予測される。このような多チャンネル化に伴って、例えばチャンネル数が１５０から２００に達することが予測されるが、これらの多数のチャンネルで放送されている番組の中から所望の番組を見つけることは容易ではない。すなわち、所望の番組を見つけるために、各チャンネルで実際に放送されている番組を確認するのでは、チャンネル数が少ない場合はともかく、上述したようにチャンネル数が多くなった場合には、ユーザは煩わしさを感じることになる。そこで、現在では、ユーザが、番組の内容を認識し、さらに、番組の選択を容易に行うことができるように、番組を案内するＥＰＧ（電子番組表）などの放送が行われている。
【０００３】
ＥＰＧ（電子番組表）の表示方法を工夫することにより、ユーザの利便性を向上させる従来技術が提案されている。特許文献１に記載された従来技術は、ＨＤＤ（Ｈａｒｄ  Ｄｉｓｋ  Ｄｒｉｖｅ）レコーダにおいてＨＤＤの残量が少なくなった場合に番組表の色分表示を行うことで、録画番組予約時にユーザに当該残量における録画番組の記録の可否を通知することによって、ユーザの利便性の向上を図っている。
【特許文献１】特開２００７−１２４５３４号公報
【発明の開示】
【発明が解決しようとする課題】
【０００４】
携帯電話等のモバイル端末での放送の視聴を想定した場合、移動することにより電波の伝播環境が変化して、ある周波数帯は受信できるが、他の周波数帯は受信できても電波の受信状態が劣化した状態での受信となるなどの状態が起こり得る。しかしながら、上記従来技術は、ＨＤＤの残量に応じて録画可否を通知する制御のみを開示しており、「電波の伝播環境の変化に基づいて放送電波の受信状態が変化するという問題」については何も解決手段を開示していない。すなわち、上記従来技術は、放送電波を受信できないため放送される番組を視聴できない状態になっている場合であっても、番組表の表示にはなんら変更がなされない。そのため、電波の受信状態によっては、選択した周波数帯（チャンネル）が視聴できる場合であっても、ブロックノイズの発生やフレーム数の減少により画像が劣化する可能性があるため、ユーザは、画像が劣化しているチャンネルを選択した場合に不快に感じてしまうという問題があった。
【０００５】
本発明は、当該放送の受信状況に応じて番組表に識別表示を行うことにより、ユーザの利便性を向上させる技術（番組表表示装置）を提供することを目的とする。
【課題を解決するための手段】
【０００６】
上記目的を達成するため、本発明の番組表表示装置は、選択したチャンネルを選局して番組を受信する受信部と、各チャンネルの各番組を示す番組表を表示する表示部と、該表示部が表示する前記番組表において、前記受信部の受信状況に対応した識別表示を行うように制御する制御部と、を備え、前記制御部は、前記受信部の受信状況に基づき、視聴できない番組には前記番組表において該番組の選択を無効化するように制御することを特徴とする。
【０００７】
また、本発明の番組表表示装置は、複数の放送システムの放送を受信可能な受信部と、番組を録画予約する予約部と、を備えた番組表表示装置であって、番組録画予約後に電源がＯＮとなった場合、既に予約された番組予約が第１放送システムの放送であるか、第２放送システムの放送であるかを確認し、当該録画予約番組の画質レベルをチェックし、視聴できない可能性があるまたは視聴できるが画質が劣化する可能性がある場合には警告を表示するように制御する制御部と、を備えることを特徴とする。
【発明の効果】
【００１３】
本発明によれば、表示部が表示する各チャンネルの各番組を示す番組表において、受信部の受信状況に対応した識別表示を行うので、この識別表示を見たユーザは、チャンネルを選局しなくても番組の視聴可能／視聴不可能や、番組の画像の劣化の可能性の有無などを事前に知ることができるようになり、ユーザの利便性が向上する。
【発明を実施するための最良の形態】
【００１４】
以下、本発明を実施するための最良の形態を図面に基づき詳細に説明する。
【００１５】
［第１実施形態］
図１は本発明の番組表表示装置の第１実施形態の構成を示す機能ブロック図である。本発明の番組表表示装置１００は、複数の放送システムを受信可能な携帯端末として構成されており、図１に例示する構成の場合には、第１の放送システムである１ｓｅｇ（ワンセグ）デジタル放送を受信および復調できる１ｓｅｇチューナモジュール２０２と、第２の放送システムであるＭｅｄｉａＦＬＯ（以下、Ｍ−ＦＬＯという）放送を受信および復調できるＭ−ＦＬＯチューナモジュール２１０という２つのチューナモジュールを搭載している。
【００１６】
１ｓｅｇチューナモジュール２０２は、放送受信用アンテナ２０１を介して１ｓｅｇ放送を受信するための１ｓｅｇ受信部２０３と、１ｓｅｇ受信部２０３で受信した１ｓｅｇ放送信号を復調する１ｓｅｇ復調部２０４と、１ｓｅｇ放送信号のＲＳＳＩおよびＣ／Ｎを取得する１ｓｅｇ受信レベル取得部２０５とを備えている。また、Ｍ−ＦＬＯチューナモジュール２１０は、放送受信用アンテナ２０１を介してＭ−ＦＬＯ放送を受信するためのＭ−ＦＬＯ受信部２１１と、Ｍ−ＦＬＯ受信部２１１で受信したＭ−ＦＬＯ放送信号を復調するＭ−ＦＬＯ復調部２１２と、Ｍ−ＦＬＯ放送信号のＲＳＳＩおよびＣ／Ｎを取得するＭ−ＦＬＯ受信レベル取得部２１３とを備えている。なお、放送受信用アンテナ２０１は、１ｓｅｇ放送およびＭ−ＦＬＯ放送で共用するものとする。
【００１７】
本実施形態の番組表表示装置１００はさらに、１ｓｅｇ受信レベル取得部２０５で取得した１ｓｅｇ放送信号の受信レベル（ＲＳＳＩおよびＣ／Ｎ）ならびに、Ｍ−ＦＬＯ受信レベル取得部２１３で取得したＭ−ＦＬＯ放送信号の受信レベル（ＲＳＳＩおよびＣ／Ｎ）に基づいて受信可能な画質レベルを判断する画質レベル判断部３１０と、復調した１ｓｅｇ放送信号、復調したＭ−ＦＬＯ放送信号および画質レベル判断部３１０の判断結果に基づいて各種処理を行う制御部３０１と、番組表の識別表示としてＥＰＧ（電子番組表）の色分表示を行う番組表色分部３０８とを備えるとともに、キー入力部３０２と、サウンダ部３０３と、音声入力部３０４と、電源３０５と、表示部３０６と、画像ドライバ部３０７と、メモリ部３０９とを備えている。
【００１８】
上記１ｓｅｇ受信部２０３は、選択したチャンネルを選局して番組を受信する受信部であって、第１の周波数帯のチャンネルを選局して番組を受信する第１受信部に対応している。上記Ｍ−ＦＬＯ受信部２１１は、選択したチャンネルを選局して番組を受信する受信部であって、第２の周波数帯のチャンネルを選局して番組を受信する第２受信部に対応している。上記１ｓｅｇ受信部２０３および上記Ｍ−ＦＬＯ受信部２１１は、表示部３０６が表示する番組表から番組を選択すると、該選択された番組に対応するチャンネルを選局して番組を受信する機能を有している。
上記表示部３０６は、各チャンネルの各番組を示す番組表を表示する表示部に対応している。
上記制御部３０１は、前記表示部が表示する番組表において、前記受信部の受信状況に対応した識別表示を行うように制御する制御部に対応しており、例えばチャンネル単位または番組単位で、前記受信部の受信状況に対応した識別表示を行う。上記制御部３０１は、前記受信部の受信状況に基づき、視聴できない番組には該番組の選択を無効化するように制御する機能と、前記受信部の受信状況に基づき、視聴できない可能性がある番組または視聴できるが画質が劣化する可能性がある番組には該番組の選択時に録画に関する警告を表示するように制御する機能と、前記第１受信部および前記第２受信部のそれぞれの受信状況に対応した識別表示を行うように制御する機能と、前記受信部の受信状況に対応する画質に基づき識別表示を行うように制御する機能とを有している。「視聴できない番組には該番組の選択を無効化する」とは、「ユーザが番組表から視聴できない番組を選択する操作を行った場合、当該操作に反応せず、当該操作を無視する動作」や、「ユーザが番組表から視聴できない番組を選択する操作を行った場合、当該操作に反応せず、当該操作は無効である旨を表示部３０６に表示する動作」を行うことなどを意味する。さらに、制御部３０１およびメモリ部３０９は、表示部３０６が表示する番組表から番組を選択すると、該選択された番組を録画する録画部に対応するとともに、表示部３０６が表示する番組表から番組を選択すると、該選択された番組を録画予約する予約部に対応している。
【００１９】
上記メモリ部３０９には、図２（ａ），（ｂ）に示すような画質レベルテーブルが保存されている。図２（ａ）は画質レベルテーブルの初期状態（何もデータが無い状態）を示し、図２（ｂ）はデータが格納された状態の画質レベルテーブルの一例を示している。この画質レベルテーブルは、受信することができたチャンネル（ｃｈ）と、当該チャンネル（ｃｈ）における放送信号の受信レベル（ＲＳＳＩおよびＣ／Ｎ）と、画質レベル判断部３１０で決定された画質レベルとを保存するテーブルである。図２（ｂ）に示す画質レベルテーブル例は、チャンネル１〜チャンネル１２のそれぞれについて、ＲＳＳＩの値と、Ｃ／Ｎの値と、画質レベルの値（１ｓｅｇ放送の場合は０，１または２、Ｍ−ＦＬＯ放送の場合は０，１，２または３）とを保存した状態を示している。
【００２０】
また、上記メモリ部３０９には、図３に示すような１ｓｅｇ放送用画質レベル判断テーブルと、図４に示すようなＭ−ＦＬＯ放送用画質レベル判断テーブルとが保存されている。図３の１ｓｅｇ放送用画質レベル判断テーブルは、放送信号の受信レベル（ＲＳＳＩおよびＣ／Ｎ）と画質レベルとの相関を示すものであり、ＲＳＳＩを「−８０ｄＢｍ以上」、「−１００ｄＢｍ以上−８０ｄＢｍ未満」、「−１００ｄＢｍ未満」の３つの領域に区分するとともに、Ｃ／Ｎを「２０以上」、「１０以上２０未満」、「１０未満」の３つの領域に区分して、３×３＝９領域のそれぞれに対して図示のような画質レベルの値（０，１または２）が設定されている。また、図４のＭ−ＦＬＯ放送用画質レベル判断テーブルは、放送信号の受信レベル（ＲＳＳＩおよびＣ／Ｎ）と画質レベルとの相関を示すものであり、ＲＳＳＩを「−９０ｄＢｍ以上」、「−１００ｄＢｍ以上−９０ｄＢｍ未満」、「−１００ｄＢｍ未満」の３つの領域に区分するとともに、Ｃ／Ｎを「４０以上」、「２０以上４０未満」、「１０以上２０未満」、「１０未満」の４つの領域に区分して、３×４＝１２領域のそれぞれに対して図示のような画質レベルの値（０，１，２または３）が設定されている。
【００２１】
図５は本発明の番組表表示装置における画質レベルと視聴可否との関係を説明するための図である。１ｓｅｇ放送の場合には、画質レベル０は視聴不可であり、画質レベル１は視聴可能（ブロックノイズあり）であり、画質レベル２は視聴可能（ブロックノイズなし）であり、画質レベルが高くなるほど高画質で視聴できるようになる。また、Ｍ−ＦＬＯ放送の場合には、画質レベル０は視聴不可であり、画質レベル１は視聴可能（１５ｆｐｓ、ブロックノイズあり）であり、画質レベル２は視聴可能（１５ｆｐｓ、ブロックノイズなし）であり、画質レベル３は視聴可能（３０ｆｐｓ、ブロックノイズなし）であり、画質レベルが高くなるほど高画質で視聴できるようになる。なお、１ｓｅｇ放送およびＭ−ＦＬＯ放送の画質レベル０は視聴不可であるため、ユーザが番組表から画質レベル０の番組を選択する操作を行った場合、上述したように、当該操作は無効化されることになる。
【００２２】
図６は本発明の番組表表示装置の第１実施形態の他の構成を示す機能ブロック図である。図６の構成の番組表表示装置１００は、図１の構成の番組表表示装置に対し、無線通信を行うために、ＣＤＭＡ用アンテナ１０１と、ＣＤＭＡ送受信部１０２と、ＣＤＭＡ復調部１０３とを追加してＣＤＭＡ復調部１０３の出力端を制御部３０１に接続したものであり、それ以外の部分は図１の構成の番組表表示装置と同様に構成されている。
なお、追加する通信手段はＣＤＭＡに限定されるものではなく、ＧＳＭ、Ｗ−ＣＤＭＡ、ＬＴＥ、ＷＬＡＮ、ＷｉＭａｘ等を用いてもよい。
また、ここでは図示しないが、１ｓｅｇ放送用のアンテナとＭ−ＦＬＯ放送用のアンテナとを別々のアンテナとしてもよい。また、１ｓｅｇチューナモジュールおよびＭ−ＦＬＯチューナモジュールを一体型としたり、１ｓｅｇチューナモジュールおよびＭ−ＦＬＯチューナモジュールの何れか一方のみを搭載する構成としてもよい。
【００２３】
次に、第１実施形態の番組表表示装置におけるＥＰＧ（電子番組表）の表示動作を視聴時と録画時とに分けて説明する。
【００２４】
［視聴時のＥＰＧ（電子番組表）の表示方法］
図７は本発明の番組表表示装置における視聴時のＥＰＧ（電子番組表）表示のメインプログラムを示すフローチャートである。この図７のＥＰＧ表示のメインプログラムは、番組表表示装置１００の電源投入（ＯＮ）により起動される。
まず、ステップＳ１０１において、メモリ部３０９に保存されている画質レベルテーブルを初期化する。例えば図２（ｂ）に示す画質レベルテーブルがメモリ部３０９に保存されていた場合には、初期化後には図２（ａ）に示す状態になる。次のステップＳ１０２では、以下に詳述する図８の画質レベル判定プログラムによって、画質レベルの判定および判定結果に基づく画質レベルテーブルの更新を実施する。
【００２５】
図８は本発明の番組表表示装置における視聴時のＥＰＧ（電子番組表）表示に用いる画質レベルテーブルを作成および更新するための画質レベル判定プログラムを示すフローチャートである。まず、ステップＳ２０１では、１ｓｅｇチューナモジュール２０２の電源を投入（ＯＮ）する。次のステップＳ２０２では、画質レベルテーブルが初期状態（例えば図２（ａ）のようにデータが何も保存されていない状態）であるか否かをチェックし、初期状態であればステップＳ２０３に進み、初期状態でなければ（例えば図２（ｂ）のように所定のデータが保存されている状態であれば）ステップＳ２０５に進む。初回処理時等の場合に進むステップＳ２０３では、全チャンネルスキャンを行って、受信できたチャンネルのＲＳＳＩおよびＣ／Ｎを取得する。次のステップＳ２０４では、プリセットチャンネル設定および取得したＲＳＳＩおよびＣ／Ｎを画質レベルテーブルに保存する。一方、２回目以降の処理時等の場合に進むステップＳ２０５では、プリセットチャンネル（図２（ｂ）の画質レベルテーブルの場合、１〜１２チャンネルのうち１ｓｅｇ放送のチャンネル）のみスキャンして、プリセットチャンネルのＲＳＳＩおよびＣ／Ｎを取得し、画質レベルテーブルを更新する。ステップＳ２０４およびステップＳ２０５の次のステップＳ２０６では、１ｓｅｇチューナモジュール２０２の電源を切断（ＯＦＦ）する。これにより、１ｓｅｇチューナモジュールの不要な消費電力を減少させることができる。
【００２６】
次のステップＳ２０７では、Ｍ−ＦＬＯチューナモジュール２１０の電源を投入（ＯＮ）する。次のステップＳ２０８では、画質レベルテーブルが初期状態（例えば図２（ａ）のようにデータが何も保存されていない状態）であるか否かをチェックし、初期状態であればステップＳ２０９に進み、初期状態でなければ（例えば図２（ｂ）のように所定のデータが保存されている状態であれば）ステップＳ２１１に進む。初回処理時等の場合に進むステップＳ２０９では、全チャンネルスキャンを行って、受信できたチャンネルのＲＳＳＩおよびＣ／Ｎを取得する。次のステップＳ２１０では、プリセットチャンネル設定および取得したＲＳＳＩおよびＣ／Ｎを画質レベルテーブルに保存する。一方、２回目以降の処理時等の場合に進むステップＳ２１１では、プリセットチャンネル（図２（ｂ）の画質レベルテーブルの場合、１〜１２チャンネルのうちＭ−ＦＬＯ放送のチャンネル）のみスキャンして、プリセットチャンネルのＲＳＳＩおよびＣ／Ｎを取得し、画質レベルテーブルを更新する。ステップＳ２１０およびステップＳ２１１の次のステップＳ２１２では、Ｍ−ＦＬＯチューナモジュール２１０の電源を切断（ＯＦＦ）する。これにより、Ｍ−ＦＬＯチューナモジュールの不要な消費電力を減少させることができる。
【００２７】
その後、ステップＳ２１３では、ＥＰＧを取得してメモリ部３０９に保存する。ＥＰＧは１ｓｅｇ放送の番組情報から取得することができるが、図６に示す構成の番組表表示装置の場合には、ＣＤＭＡの通信手段（ＣＤＭＡ用アンテナ１０１、ＣＤＭＡ送受信部１０２およびＣＤＭＡ復調部１０３）を使用して取得してもよい。ＥＰＧを取得した後に進むステップＳ２１４では、画質レベル判断部３１０において、画質レベルテーブルのＲＳＳＩおよびＣ／Ｎの計測結果と、図３に示す１ｓｅｇ用画質レベル判断テーブルおよび図４に示すＭ−ＦＬＯ放送用画質レベル判断テーブルとを比較することにより、１ｓｅｇ放送およびＭ−ＦＬＯ放送のそれぞれの各チャンネルの画質レベルを決定して、画質レベルテーブルを完成させる。完成した画質レベルテーブルは、例えば図２（ｂ）に示すようになる。
このように、視聴アプリケーションを起動させる前に、画質レベルテーブルの作成およびＥＰＧの取得を済ませておくことにより、実際にユーザが視聴アプリケーションを起動させたときに、画質測定のための不快な待ち時間が生じることがなくなる。
【００２８】
図７において、ステップＳ１０２の画質レベル判定の終了後に進むステップＳ１０３では、視聴アプリケーションの起動の有無を確認し、視聴アプリケーションが起動されていなければステップＳ１０５に進んで所定時間の待ち時間を入れた後に上記ステップＳ１０２に戻り、視聴アプリケーションが起動され、ＥＰＧ表示の操作がされた場合にはステップＳ１０４に進んで図９に示すＥＰＧ色分表示プログラムを実施する。
【００２９】
図９は本発明の番組表表示装置における視聴時のＥＰＧ（電子番組表）色分表示プログラムを示すフローチャートである。このＥＰＧ（電子番組表）色分表示プログラムは、視聴アプリケーションの起動後にＥＰＧ等の番組情報表示の操作が行われる起動される。まず、ステップＳ３０１では、番組表色分部３０８により、メモリ上にある画質レベルテーブル（例えば図２（ｂ）に示す画質レベルテーブル）を用いてＥＰＧ(電子番組表)の色分表示を行う。その際、画質レベルおよび画質は、例えば図５に示すような関係があるものとする。すなわち、１ｓｅｇ放送においては、画質レベル２であれば問題なく視聴できるが、画質レベル１ではブロックノイズが発生してしまい、画質レベル０では電波が受信できず、表示さえもできない。一方、Ｍ−ＦＬＯ放送においては、画質レベル３であれば、３０ｆｐｓで高品質（ブロックノイズ無し）の画像が視聴できるが、画質レベル２ではブロックノイズ無しの１５ｆｐｓの画像しか受信できない。また、画質レベル１ではブロックノイズありの１５ｆｐｓの画像しか受信できない。画質レベル０では電波を受信できないため、表示さえもできない。
【００３０】
図１０（ａ）は本発明の番組表表示装置において図２（ｂ）の画質レベルテーブルに基づいて図９のステップＳ３０１のＥＰＧ色分表示を行った場合のＥＰＧ表示例を示す図であり、図１０（ｂ）は番組表表示装置において色分表示を行わない場合の通常のＥＰＧ表示例を示す図である。図１０（ａ）に例示するＥＰＧ色分表示は、図２（ｂ）の画質レベルテーブルに対応しており、１ｓｅｇ放送のＵＨＦ−ＬＯＷの周波数帯域に該当するチャンネル１〜チャンネル３は、図３の１ｓｅｇ用画質レベル判断テーブルから画質レベル２になるため、色付けしない表示（通常のＥＰＧ表示と同一の表示）とし、１ｓｅｇ放送のＵＨＦ−Ｍｉｄの周波数帯域に該当するチャンネル４〜チャンネル６は、図３の１ｓｅｇ用画質レベル判断テーブルから画質レベル０になるため、最も濃い色を付けた表示（この表示は、選択してもその選択が無効になることも表わしており、図示例では多数のドットで表わしている）とし、１ｓｅｇ放送のＵＨＦ−Ｈｉｇｈの周波数帯域に該当するチャンネル７〜チャンネル９は、図３の１ｓｅｇ用画質レベル判断テーブルから画質レベル１になるため、２番目に濃い色を付けた表示（図示例では二方向の斜線で表わしている）とし、Ｍ−ＦＬＯ放送のＶＨＦの周波数帯域に該当するチャンネル１０〜チャンネル１２は、図４のＭ−ＦＬＯ放送用画質レベル判断テーブルから画質レベル２になるため、３番目に濃い色を付けた表示（図示例では一方向の斜線で表わしている）としている。
なお、図１０（ａ）のＥＰＧ色分表示例は、選択の有無に拘わらず全てのチャンネルについてＥＰＧ色分表示を行った場合を示しているが、少なくとも、選択に応じて１ｓｅｇ受信部２０３またはＭ−ＦＬＯ受信部２１１が受信して選局した１つのチャンネルについてＥＰＧ色分表示を行うようにすればよい。
【００３１】
図９において、次のステップＳ３０２では、色分エリア毎の操作制限が行われる。この色分エリア毎の操作制限としては、例えば、「画質レベル０のチャンネルは、ユーザが選択操作をしても当該チャンネルを選局しない」、「画質レベル０で受信できないチャンネルは選択時にチャンネルスキップする（選択させない）」等の色分エリア毎に操作の制限条件を設定しておくものとする。ただし、録画機能を有している番組表表示装置に適用する場合には、録画する時点の画質レベルは現時点で判断した画質レベルとは異なっている場合があることから、上記チャンネルスキップは設定しないことにする。
【００３２】
上述した「画質レベル０のチャンネルは、ユーザが選択操作をしても当該チャンネルを選局しない」という操作制限は、「画質レベル０のチャンネルをユーザが選択する操作を行った場合、そのチャンネルの選局に行かない」というものであるが、以下のような操作制限を含むようにしてもよい。（１）表示部３０６が表示するＥＰＧ（電子番組表）からユーザが画質レベル０のチャンネルの番組を視聴するために選択すると、その番組は視聴できない番組であるため、前記制御部は、前記受信部の受信状況（画質レベル０）に基づき、その視聴できない番組の選択を無効化するように制御する。（２）表示部３０６が表示するＥＰＧ（電子番組表）からユーザが現在放送されている番組であって、画質レベル０のチャンネルの番組を録画するために選択すると、その番組は視聴できない番組（したがって、録画できない番組）であるため、前記制御部は、前記受信部の受信状況（画質レベル０）に基づき、その視聴できない番組の録画選択を無効化する。
【００３３】
次のステップＳ３０３では、ＥＰＧ色分表示を見たユーザがチャンネル上の番組を選択したか否かを判定し、ユーザが番組を選択した場合（Ｙｅｓの場合）には図７のＥＰＧ表示のメインプログラムのステップＳ１０６に進む。ユーザが番組を選択しなかった場合（Ｎｏの場合）にはステップＳ３０４に進む。ステップＳ３０４では、所定時間の経過を待ち、所定時間が経過しても他のチャンネルの選択がなされなかった場合には、ＥＰＧの表示を消してステップＳ３０５に進んで図７のステップＳ１０２と同様に図８の画質レベル判定プログラムを実施して画質レベルテーブルを更新した後、ステップＳ１０６に進む。図７のステップＳ１０６では、ユーザがＥＰＧの表示操作を行ったか否かを確認し、操作が行われるとＳ１０４を行う。また、ステップＳ１０７で視聴アプリケーションが終了したか否かを確認し、視聴アプリケーションが終了したらステップＳ１０２に戻って図８の画質レベル判定プログラムを再び実施して、画質レベルテーブルの更新を行う。
【００３４】
以上のようなＥＰＧ色分表示を行うことにより、ユーザは、どのチャンネル（番組）が視聴可能でどのチャンネル（番組）が視聴不可能であるか、視聴可能である場合はブロックノイズありかブロックノイズ無しか等の情報を実際に視聴する（選局する）前に得ることができるので、選局の待ち時間もなく、ユーザの利便性が向上する。また、視聴できないチャンネル（番組）を選択した場合にはその選択を無効化するので、選択したチャンネルが視聴できないことを選局してみてはじめて理解することによりユーザが不快感を持つことや、無駄なチャンネル切換を防止することができ、ユーザの利便性が向上する。また、複数のチャンネルのそれぞれにおいて放送される複数の番組を一体的にＥＰＧ（電子番組表）として表示部３０６に表示して、そのＥＰＧ（電子番組表）から所望の番組を選択できるようにしたため、ユーザの利便性が向上する。また、ＭｅｄｉａＦＬＯ等の、受信する信号のＲＳＳＩやＣ／Ｎに応じて画質が変更できる放送を受信する場合、画質レベルをユーザに知らせることができるので、ユーザの利便性が向上する。
なお、ＲＳＳＩ、Ｃ／Ｎの計測を長くしたり、計測するチャンネル数を減らしたりすれば、省電力が実現できる。また、反対に、計測を短くしたり、対象チャンネルを全て計測することにより、チャンネルのサーチ速度（選局速度）を早くしたりＥＰＧの色分表示を高速化したりすることができる。
【００３５】
［録画予約時のＥＰＧ（電子番組表）の表示方法］
図１１は本発明の番組表表示装置における番組録画予約時のＥＰＧ(電子番組表)表示のメインプログラムを示すフローチャートである。この図１１のＥＰＧ表示のメインプログラムは、番組表表示装置１００の電源投入（ＯＮ）により起動される。以下の説明では、ユーザは、既にある番組の録画予約を行っているものとする。
まず、ステップＳ４０１において、メモリ部３０９に保存されている画質レベルテーブルを初期化する。例えば図２（ｂ）に示す画質レベルテーブルがメモリ部３０９に保存されていた場合には、初期化後には図２（ａ）に示す状態になる。次のステップＳ４０２では、上述した図８の画質レベル判定プログラム（判定結果に基づく画質レベルテーブルの更新を含む）を実施する。
【００３６】
その後、ステップＳ４０３では、メモリ部３０９に録画予約があるか否かを確認する。ここで、録画予約がなかった場合（Ｎｏの場合）には、後述するステップＳ４１５に進んで、ステップＳ４１５〜ステップＳ４１９において図７のステップＳ１０３〜ステップＳ１０７と同様の処理を実行する。ステップＳ４０３において録画予約があった場合（Ｙｅｓの場合）には、ステップＳ４０４に進む。ステップＳ４０４では、画質レベルテーブルと予約チャンネルとの比較を行い、予約チャンネルの画質レベルをチェックする。次のステップＳ４０５では、録画予約が１ｓｅｇ放送であるか否かを確認する。ここで、１ｓｅｇ放送の予約であった場合には、ステップＳ４０６に進んで予約チャンネルの画質レベルが０，１，２の何れであるかを確認し、１ｓｅｇ放送の予約でなかった場合には、直ちに後述するステップＳ４０９に進む。ステップＳ４０６の確認において、画質レベル０であれば、ステップＳ４０７に進んで、待ち受け画面に図１２に例示した画質レベル０の警告メッセージ「録画出来ません。」を表示し、画質レベル１であれば、ステップＳ４０８に進んで、図１２に例示した画質レベル１の警告メッセージ「録画画質が著しく劣化する可能性があります。」を表示するが、画質レベル２の場合には、問題無く録画ができるため、警告メッセージを表示しない。
【００３７】
ステップＳ４０７およびステップＳ４０８の次のステップＳ４０９では、録画予約がＭ−ＦＬＯ放送であるか否かを確認する。ここで、Ｍ−ＦＬＯ放送の予約であった場合には、ステップＳ４１０に進んで予約チャンネルの画質レベルが２以下であるか否かを確認し、Ｍ−ＦＬＯ放送の予約でなかった場合（言い換えれば、１ｓｅｇ放送およびＭ−ＦＬＯ放送の録画予約がなかった場合）には、直ちに後述するステップＳ４１５に進んで、ステップＳ４１５〜ステップＳ４１９を実行する。ステップＳ４１０の確認において、Ｙｅｓ（画質レベル２，１，０）の場合にはステップＳ４１１に進んで予約チャンネルの画質レベルが０，１，２の何れであるかを確認し、Ｎｏ（画質レベル３）の場合には直ちに後述するステップＳ４１５に進んで、ステップＳ４１５〜ステップＳ４１９を実行する。ステップＳ４１１の確認において、画質レベル０であれば、ステップＳ４１２に進んで、待ち受け画面に図１２に例示した画質レベル０の警告メッセージ「録画出来ません。」を表示し、画質レベル１であれば、ステップＳ４１３に進んで、図１２に例示した画質レベル１の警告メッセージ「録画画質が著しく劣化する可能性があります。」を表示し、画質レベル２であれば、ステップＳ４１４に進んで、図１２に例示した画質レベル２の警告メッセージ「録画画質が劣化する可能性があります。」を表示するが、画質レベル３の場合（ステップＳ４１０のＮｏの場合）には、問題無く録画ができるため、警告メッセージを表示しない。
【００３８】
上記警告メッセージの表示動作について説明する。表示部３０６が表示するＥＰＧ（電子番組表）からユーザが所望のチャンネルの番組を録画予約するために選択すると、該選択された番組を録画部が録画しようとするが、選択した番組が視聴できない可能性がある番組（１ｓｅｇ放送、Ｍ−ＦＬＯ放送の画質レベル０の番組）である場合、または、選択した番組が視聴できるが画質が劣化する可能性がある番組（１ｓｅｇ放送；画質レベル１の番組、Ｍ−ＦＬＯ放送；画質レベル１，画質レベル２の番組）である場合には、前記制御部は、前記受信部の受信状況（１ｓｅｇ放送；画質レベル０〜画質レベル１，Ｍ−ＦＬＯ放送；画質レベル０〜画質レベル２）に基づき、該番組の選択時に、該番組の画質レベルに応じた図１２に示する警告メッセージを表示するように制御する。
【００３９】
実際に待ち受け画面に表示する警告メッセージの表示例を図１３（ｂ）に示す。通常時（１ｓｅｇ放送の画質レベル２、Ｍ−ＦＬＯ放送の画質レベル３が該当する）には、図１３（ａ）に示すように画面に録画予約がある旨だけを表示するが、放送受信環境が悪化して、例えば１ｓｅｇ放送の録画予約中に画質レベル１になってしまった場合には、図１３（ｂ）に示すように、「録画画質が著しく劣化する可能性がある旨」を待ち受け画面に表示する。その際、予約時間が接近している場合には、警告音やバイブレータの振動でユーザに警告を伝えるなどの手段を取ってもよい。また、図１０（ａ）のようなＥＰＧ色分表示を行う際に、「録画予約がある旨の警告メッセージ」を同時に表示してもよい。
【００４０】
以上のようなＥＰＧ色分表示および警告メッセージ表示を行うことにより、録画予約を行った場合に、受信環境が悪いことなどにより、録画予約したチャンネルの番組が録画できなくなったり、録画できても録画画質が劣化する可能性があることを実際に録画が開始される前にユーザに知らせることができるので、受信環境が悪いことなどで録画予約したチャンネルの番組が録画できなくなるなどの不測の事態の発生を未然に防止することができるようになり、ユーザの利便性が向上する。また、ユーザが予約録画を行う場合には、視聴できないチャンネルも選択できるようにすることにより、現時点では視聴できないチャンネルが将来視聴できるチャンネルになって録画可能になった場合に対応できるので、ユーザの利便性が向上する。
【００４１】
なお、本発明の番組表表示装置において、１ｓｅｇ放送信号の受信レベル（ＲＳＳＩおよびＣ／Ｎ）を計測する場合には、１ｓｅｇ受信レベル取得部２０５は復調前の信号によって受信レベルを計測してもよいものとする。
また、画質レベルテーブルを既に取得している場合に、例えば１チャンネル〜１２チャンネルのチャンネル配置が図１４のようになっており、チャンネル１〜チャンネル３が１ｓｅｇ放送のＵＨＦ−ＬＯＷの周波数帯域に該当し、チャンネル４〜チャンネル６が１ｓｅｇ放送のＵＨＦ−Ｍｉｄの周波数帯域に該当し、チャンネル７〜チャンネル９が１ｓｅｇ放送のＵＨＦ−Ｈｉｇｈの周波数帯域に該当し、チャンネル１０〜チャンネル１２がＭ−ＦＬＯ放送のＶＨＦの周波数帯域に該当する場合には、それぞれの周波数帯域の代表的なチャンネル（例えばＵＨＦ−ＬＯＷの周波数帯域ならば２チャンネル）のみをスキャンするようにしてもよい。
さらに、本発明の番組表表示装置において、１ｓｅｇチューナモジュール、Ｍ−ＦＬＯチューナモジュールの何れか一方に代えて無線ネットワークとの送受信を行う無線モジュールを設けることにより、「ネットワーク経由のチャンネルを受信する第２の受信部」を構成するようにしてもよい。
また、上述の実施形態において、録画と記載しているが、デジタルラジオなどのように音声を記録するものも含む。この場合、上記「録画」を「記録」と解釈し、録画部を記録部とする。なお、記録部は録画部を含むものとする。
また、上述の実施形態において、受信部の受信状況に対応した識別表示を色分けにて記載しているが、これに限られるものではなく、ユーザが識別できる表示を含むものである。
また、上述の実施形態ではチャンネル単位で識別表示を行うように記載しているが、これに限らず、番組単位で識別表示を行うようにしてもよい。
【図面の簡単な説明】
【００４２】
【図１】本発明の番組表表示装置の第１実施形態の構成を示す機能ブロック図である。
【図２】（ａ），（ｂ）は本発明の番組表表示装置において用いる画質レベルテーブルを説明するための図である。
【図３】本発明の番組表表示装置において用いる１ｓｅｇ放送用画質レベル判断テーブルを例示する図である。
【図４】本発明の番組表表示装置において用いるＭ−ＦＬＯ放送用画質レベル判断テーブルを例示する図である。
【図５】本発明の番組表表示装置における画質レベルと視聴可否との関係を説明するための図である。
【図６】本発明の番組表表示装置の第１実施形態の他の構成を示す機能ブロック図である。
【図７】本発明の番組表表示装置における番組視聴時のＥＰＧ（電子番組表）表示のメインプログラムを示すフローチャートである。
【図８】本発明の番組表表示装置における番組視聴時のＥＰＧ（電子番組表）表示に用いる画質レベルテーブルを作成および更新するための画質レベル判定プログラムを示すフローチャートである。
【図９】本発明の番組表表示装置における番組視聴時のＥＰＧ（電子番組表）色分表示プログラムを示すフローチャートである。
【図１０】（ａ）は本発明の番組表表示装置において色分表示を行った場合のＥＰＧ表示例を示す図であり、（ｂ）は番組表表示装置において色分表示を行わない場合の通常のＥＰＧ表示例を示す図である。
【図１１】本発明の番組表表示装置における番組録画予約時のＥＰＧ（電子番組表）表示のメインプログラムを示すフローチャートである。
【図１２】本発明の番組表表示装置における番組録画予約時の待ち受け画面に表示する画質レベル毎の警告メッセージを例示する図である。
【図１３】（ａ）は本発明の番組表表示装置における番組録画予約時の待ち受け画面の警告メッセージの表示例を示す図であり、（ｂ）は本発明の番組表表示装置における通常時の待ち受け画面の表示例を示す図である。
【図１４】本発明の番組表表示装置における１チャンネル〜１２チャンネルのチャンネル配置を例示する図である。
【符号の説明】
【００４３】
１００  番組表表示装置
１０１  ＣＤＭＡ用アンテナ
１０２  ＣＤＭＡ送受信部
１０３  ＣＤＭＡ復調部
２０１  放送受信用アンテナ
２０２  １ｓｅｇチューナモジュール
２０３  １ｓｅｇ受信部
２０４  １ｓｅｇ復調部
２０５  １ｓｅｇ受信レベル取得部
２１０  Ｍ−ＦＬＯチューナモジュール
２１１  Ｍ−ＦＬＯ受信部
２１２  Ｍ−ＦＬＯ復調部
２１３  Ｍ−ＦＬＯ受信レベル取得部
３０１  制御部
３０２  キー入力部
３０３  サウンダ部
３０４  音声入力部
３０５  電源
３０６  表示部
３０７  画像ドライバ部
３０８  番組表色分部
３０９  メモリ部
３１０  画質レベル判断部
【図１】
0004731586.tif 000002
【図２】
0004731586.tif 000003
【図３】
0004731586.tif 000004
【図４】
0004731586.tif 000005
【図５】
0004731586.tif 000006
【図６】
0004731586.tif 000007
【図７】
0004731586.tif 000008
【図８】
0004731586.tif 000009
【図９】
0004731586.tif 000010
【図１０】
0004731586.tif 000011
【図１１】
0004731586.tif 000012
【図１２】
0004731586.tif 000013
【図１３】
0004731586.tif 000014
【図１４】
0004731586.tif 000015